(57)【特許請求の範囲】
【請求項１】
導体薄板からなる複数の傾斜磁場コイルがモールドされ一体化されてなる筒状の傾斜磁場コイル装置本体を備え、
前記傾斜磁場コイルは、前記傾斜磁場コイル装置本体の軸方向に直角な断面形状が非円形で、前記傾斜磁場コイル装置本体の径方向に互いに間隔をおいて配置された第１の非円形xコイルと第２の非円形yコイルを含み、
前記第１の非円形xコイルと前記第２の非円形ｙコイルは、電流の流れている部分のｚ軸方向への長さが異なるものとなっており、前記第２の非円形ｙコイルの一端部において、前記傾斜磁場コイル装置本体の周方向に互いに間隔をおいて複数のスリットが前記第２の非円形ｙコイルの電流の流れる方向と交差するように設けられており、
前記第１の非円形ｘコイルと前記第２の非円形ｙコイルは、全体としてｚ軸方向への長さが互いに等しくなっていることを特徴とする磁気共鳴イメージング装置の傾斜磁場コイル装置。
【請求項２】
前記スリットの隣接する間隔は、前記第２の非円形ｙコイルの最外周のターンの電流が流れる部分の幅の１／２以下であることを特徴とする請求項１記載の磁気共鳴イメージング装置の傾斜磁場コイル装置。
【請求項３】
前記傾斜磁場コイルは、複数のメインコイルと、前記メインコイルの外周側に配置されている複数のシールドコイルとを含むことを特徴とする請求項１から請求項２までのいずれか１項に記載の磁気共鳴イメージング装置の傾斜磁場コイル装置。
【請求項４】
前記メインコイル及び前記シールドコイルのそれぞれが第１の非円形xコイル及び第２の非円形yコイルを含むことを特徴とする請求項３記載の磁気共鳴イメージング装置の傾斜磁場コイル装置。
【請求項５】
請求項１から請求項４までのいずれか１項に記載の傾斜磁場コイルを備えたことを特徴とする磁気共鳴イメージング装置。
【発明の詳細な説明】
【技術分野】
【０００１】
この発明は、複数の傾斜磁場コイルが樹脂等によりモールドされ一体化されている傾斜磁場コイル装置、及びその傾斜磁場コイル装置を用いた磁気共鳴イメージング装置に関するものである。
【背景技術】
【０００２】
ＭＲＩ装置（磁気共鳴イメージング装置）は、被検者、特に人体の組織を構成する原子核スピンが発生するＮＭＲ（核磁気共鳴）信号を計測し、頭部、腹部、四肢等の形態や機能を二次元的又は三次元的に画像化する装置である。撮影において、ＮＭＲ信号には、傾斜磁場によって異なる位相エンコードが付与されるとともに周波数エンコードが付与される。時系列データとして計測されたＮＭＲ信号は、二次元又は三次元フーリエ変換されることにより、画像に再構成される。
【０００３】
このようなＭＲＩ装置においては、複数の傾斜磁場コイルを樹脂等によりモールドして一体化してなる円筒状の傾斜磁場コイル装置本体（モールド体）が用いられている。傾斜磁場コイルとしては、３種類のメインコイル、即ちｘメインコイル、ｙメインコイル及びｚメインコイルと、３種類のシールドコイル、即ちｘシールドコイル、ｙシールドコイル及びｚシールドコイルとが用いられている。また、これらの傾斜磁場コイルとしては、傾斜磁場コイル装置本体を小型・薄型化するため、銅又はアルミニウム等からなる導体薄板を加工した薄板コイルが用いられている。
【０００４】
さらに、被検者が入る空間の圧迫感を低減するため、傾斜磁場コイル装置本体の内周面の断面形状を楕円形やその他の非円形としたＭＲＩ装置が提案されている（例えば、特許文献１、２参照）。
【先行技術文献】
【特許文献】
【０００５】
【特許文献１】特開２００１−３２７４７８号公報
【特許文献２】特開２０１２−０３４８０７号公報
【発明の概要】
【発明が解決しようとする課題】
【０００６】
内周面の断面形状を非円形とした従来の傾斜磁場コイル装置本体では、その非対称性のために、ｘメインコイルとｙメインコイルとの間で磁気エネルギー及び漏れ磁場が異なり、いずれか一方のメインコイルからの漏れ磁場が大きくなってしまう。漏れ磁場を抑えるためには、シールドコイルの軸長を伸ばせばよいが、装置全体の長さが長くなるため、被検者の圧迫感低減のためには、シールドコイルの軸長も静磁場磁石の長さ程度に抑えるのが望ましい。
【０００７】
これに対して、ｘメインコイルの軸長とｙメインコイルの軸長とを異なるものとすることにより、両者の磁気エネルギー及び漏れ磁場を同等にする方法が考えられる。しかし、その場合、傾斜磁場コイル装置本体内で傾斜磁場コイルの軸方向端部の位置が揃わなくなるため、軸長が長いコイルの先端が変曲点となってせん断応力が大きくなり、モールド樹脂との接着界面で剥がれが生じる。
【０００８】
この発明は、上記のような課題を解決するためになされたものであり、コイル導体を流れる電流経路を最適化しつつ、コイル端部の位置を揃え、コイル端部におけるせん断応力を低減することができる磁気共鳴イメージング装置の傾斜磁場コイル装置、及びそれを用いた磁気共鳴イメージング装置を得ることを目的とする。
【課題を解決するための手段】
【０００９】
この発明に係る磁気共鳴イメージング装置の傾斜磁場コイル装置は、導体薄板からなる複数の傾斜磁場コイルがモールドされ一体化されてなる筒状の傾斜磁場コイル装置本体を備え、傾斜磁場コイルは、傾斜磁場コイル装置本体の軸方向に直角な断面形状が非円形で、傾斜磁場コイル装置本体の径方向に互いに間隔をおいて配置された第１及び第２の非円形コイルを含み、第１の非円形コイルの軸長と第２の非円形コイルの軸長とは、互いに等しくなっており、第２の非円形コイルの軸方向端部には、電流が流れる部分の幅を制限するように複数のスリットが互いに間隔をおいて設けられている。
【発明の効果】
【００１０】
この発明の磁気共鳴イメージング装置の傾斜磁場コイル装置は、コイル導体を流れる電流経路を最適化しつつ、コイル端部の位置を揃え、コイル端部におけるせん断応力を低減することができる。
【図面の簡単な説明】
【００１１】
【図１】この発明の実施の形態１によるＭＲＩ装置を示すブロック図である。
【図２】図１の傾斜磁場コイル装置本体の第１例を一部切り欠いて示す斜視図である。
【図３】図１の傾斜磁場コイル装置本体の第２例を一部切り欠いて示す斜視図である。
【図４】図２のｘメインコイルのパターン設計例を示す展開図である。
【図５】図４の第１のｘ分割コイルの実装例を示す展開図である。
【図６】図５の第１のｘ分割コイルの実装例と、この第１のｘメインコイルとｚ軸方向の同じ位置に配置される第１のｙ分割コイルの実装例とを並べて示す展開図である。
【図７】図６の第１のｙ分割コイルの要部を拡大して示す平面図である。
【発明を実施するための形態】
【００１２】
以下、この発明を実施するための形態について、図面を参照して説明する。
実施の形態１．
図１はこの発明の実施の形態１によるＭＲＩ装置を示すブロック図である。図において、ＭＲＩ装置は、静磁場発生系２と、傾斜磁場発生系（傾斜磁場コイル装置）３と、シーケンサ４と、送信系５と、受信系６と、計算機７とを有している。
【００１３】
静磁場発生系２は、水平磁場方式であれば、体軸方向に均一な静磁場を発生させる。また、静磁場発生系２は、永久磁石方式、常電導方式又は超電導方式の静磁場発生磁石を有している。静磁場発生磁石は、被検者１の周りに配置されている。
【００１４】
傾斜磁場発生系３は、ＭＲＩ装置の座標系であるｘ、ｙ、ｚの３軸方向に傾斜磁場を印加する略円筒状の傾斜磁場コイル装置本体（モールド体）８と、傾斜磁場コイル装置本体８を駆動する傾斜磁場電源９とを有している。また、傾斜磁場発生系３は、シーケンサ４からの命令に従って傾斜磁場電源９を駆動することにより、ｘ、ｙ、ｚの３軸方向に傾斜磁場Ｇｘ、Ｇｙ、Ｇｚを印加する。
【００１５】
撮影時には、スライス面（撮影断面）に直交する方向にスライス方向傾斜磁場パルスが印加されて、被検者１に対するスライス面が設定される。そして、そのスライス面に直交し、かつ互いに直交する残りの２つの方向に、位相エンコード方向傾斜磁場パルスと周波数エンコード方向傾斜磁場パルスとが印加され、エコー信号にそれぞれの方向の位置情報がエンコードされる。
【００１６】
シーケンサ４は、高周波磁場パルス（以下、「ＲＦパルス」という）と傾斜磁場パルスとを所定のパルスシーケンスで繰り返し印加する制御手段である。また、シーケンサ４は、計算機７により制御されて動作し、被検者１の断層画像のデータ収集に必要な種々の命令を送信系５、傾斜磁場発生系３及び受信系６に送る。
【００１７】
送信系５は、被検者１の生体組織を構成する原子の原子核スピンに核磁気共鳴を起こさせるために、被検者１にＲＦパルスを照射する。また、送信系５は、変調器１０と、高周波発振器１１と、高周波増幅器１２と、送信側の高周波コイル（送信コイル）１３ａとを有している。
【００１８】
高周波コイル１３ａは、被検者１に近接して設置されている。高周波発振器１１から出力されたＲＦパルスは、シーケンサ４からの指令によるタイミングで変調器１０により振幅変調される。振幅変調されたＲＦパルスは、高周波増幅器１２で増幅された後に、高周波コイル１３ａに供給される。これにより、ＲＦパルスが被検者１に照射される。
【００１９】
受信系６は、被検者１の生体組織を構成する原子核スピンの核磁気共鳴により放出されるエコー信号（ＮＭＲ信号）を検出する。また、受信系６は、受信側の高周波コイル（受信コイル）１３ｂと、信号増幅器１４と、直交位相検波器１５と、Ａ／Ｄ変換器１６とを有している。
【００２０】
高周波コイル１３ｂは、被検者１に近接して配置されている。被検者１からの応答のＮＭＲ信号は、送信側の高周波コイル１３ａから照射された電磁波によって誘起される。誘起されたＮＭＲ信号は、高周波コイル１３ｂで検出され、信号増幅器１４で増幅される。増幅されたＮＭＲ信号は、直交位相検波器１５により、シーケンサ４からの指令によるタイミングで、直交する二系統の信号に分割される。分割された信号は、Ａ／Ｄ変換器１６でそれぞれディジタル量に変換されて、計算機７に送られる。
【００２１】
計算機７は、各種データ処理と処理結果の表示及び保存等を行う。また、計算機７には、ディスプレイ１７、記憶装置１８、操作装置１９が接続されている。
【００２２】
ディスプレイ１７としては、ＣＲＴディスプレイ又は液晶ディスプレイ等が用いられている。記憶装置１８としては、光ディスク装置又は磁気ディスク装置等が用いられている。操作装置１９としては、トラックボール又はマウスと、キーボードとの組み合わせ等が用いられている。
【００２３】
受信系６からのデータが計算機７に入力されると、計算機７により、信号処理、画像再構成等の処理が実行され、その結果である被検者１の断層画像がディスプレイ１７に表示されるとともに、画像データが記憶装置１８に記録される。
【００２４】
操作装置１９は、ディスプレイ１７に近接して配置されている。ＭＲＩ装置の各種制御情報や計算機７で行う処理の制御情報は、操作装置１９を用いて入力される。操作者は、ディスプレイ１７を見ながら、操作装置１９を通してインタラクティブにＭＲＩ装置の各種処理を制御する。
【００２５】
なお、図１において、送信側の高周波コイル１３ａと傾斜磁場コイル装置本体８とは、被検者１が挿入される静磁場発生系２の静磁場空間内に、被検者１を取り囲むように設置されている。また、受信側の高周波コイル１３ｂは、被検者１を取り囲むように設置されている。
【００２６】
また、現在臨床で普及している撮像対象核種は、被検者の主たる構成物質である水素原子核（プロトン）である。プロトン密度の空間分布や、励起状態の緩和時間の空間分布に関する情報を画像化することで、人体の頭部、腹部、四肢等の形態又は機能が二次元又は三次元的に撮像される。
【００２７】
図２は図１の傾斜磁場コイル装置本体８の第１例を一部切り欠いて示す斜視図であり、この例の傾斜磁場コイル装置本体８は、アクティブシールド型である。ここで、傾斜磁場コイル装置本体８における座標軸は、撮像領域の中心を原点、静磁場の方向（傾斜磁場コイル装置本体８の軸方向）をｚ軸とし、ｚ軸と直交する２軸をｘ軸、ｙ軸とする。
【００２８】
傾斜磁場コイル装置本体８は、傾斜磁場コイルとして、３種類のメインコイルと３種類のシールドコイルとを有している。メインコイルとしては、ｘメインコイル２０ａ、ｙメインコイル２０ｂ及びｚメインコイル２０ｃが用いられている。シールドコイルとしては、ｘシールドコイル２１ａ、ｙシールドコイル２１ｂ及びｚシールドコイル２１ｃが用いられている。
【００２９】
これらのコイル２０ａ〜２０ｃ，２１ａ〜２１ｃは、樹脂等のモールド材によってモールドされ一体化されている。即ち、コイル２０ａ〜２０ｃ，２１ａ〜２１ｃは、モールド部８ａによって覆われている。
【００３０】
また、この例では、傾斜磁場コイルは、内径側からｘメインコイル２０ａ、ｙメインコイル２０ｂ、ｚメインコイル２０ｃ、ｘシールドコイル２１ａ、ｙシールドコイル２１ｂ、ｚシールドコイル２１ｃの順で、傾斜磁場コイル装置本体８の径方向に互いに間隔をおいて配置されている。即ち、シールドコイル２１ａ〜２１ｃは、メインコイル２０ａ〜２０ｃの外周側に配置されている。
【００３１】
ｘメインコイル２０ａ、ｙメインコイル２０ｂ及びｚメインコイル２０ｃは、撮像領域において、それぞれ対応する方向に線形な傾斜磁場を発生させる。
【００３２】
ｘシールドコイル２１ａ、ｙシールドコイル２１ｂ及びｚシールドコイル２１ｃは、メインコイル２０ａ〜２０ｃの外側で、かつ、メインコイル２０ａ〜２０ｃと静磁場発生磁石との間の空間に設置され、対応する方向に傾斜磁場を発生し、メインコイル２０ａ〜２０ｃによる漏れ磁場を防ぐ役割を果たす。
【００３３】
また、図２の例では、メインコイル２０ａ〜２０ｃの断面形状（傾斜磁場コイル装置本体８の軸線に直角な断面形状）が楕円形となっている。即ち、傾斜磁場コイル装置本体８の軸方向に沿って見たメインコイル２０ａ〜２０ｃの形状は、ｙ軸方向（上下方向）を短軸方向、ｘ軸方向（左右方向）を長軸方向とする楕円形である。また、シールドコイル２１ａ〜２１ｃの断面形状（傾斜磁場コイル装置本体８の軸線に直角な断面形状）は、円形となっている。
【００３４】
さらに、図２の例では、傾斜磁場コイル装置本体８の径方向に互いに隣接するｘメインコイル２０ａ及びｙメインコイル２０ｂがそれぞれ第１及び第２の非円形コイルである。
【００３５】
図３は図１の傾斜磁場コイル装置本体８の第２例を一部切り欠いて示す斜視図である。図３の例では、全てのコイル２０ａ〜２０ｃ，２１ａ〜２１ｃの断面形状（傾斜磁場コイル装置本体８の軸線に直角な断面形状）が楕円形となっている。即ち、傾斜磁場コイル装置本体８の軸方向に沿って見たコイル２０ａ〜２０ｃ，２１ａ〜２１ｃの形状は、ｙ軸方向（上下方向）を短軸方向、ｘ軸方向（左右方向）を長軸方向とする楕円形である。
【００３６】
また、図３の例では、ｘメインコイル２０ａ及びｘシールドコイル２１ａが第１の非円形コイル、ｙメインコイル２０ｂ及びｙシールドコイル２１ｂが第２の非円形コイルである。
【００３７】
図４は図２のｘメインコイル２０ａのパターン設計例を示す展開図である。このようなパターン上に電流を印加することによって、撮像領域内でｘ軸方向に線形に変化する所望の磁場を発生させることができる。また、このようなパターンを実現するために、ｘメインコイル２０ａは、第１のｘ分割コイル２２ａ、第２のｘ分割コイル２２ｂ、第３のｘ分割コイル２２ｃ、及び第４のｘ分割コイル２２ｄから構成されている。
【００３８】
なお、θはｚ軸周りの角度であり、ｙ軸の正方向を０ラジアン（ｒａｄ）、ｘ軸の正方向を＋π／２ラジアン、ｙ軸の負方向を＋πラジアン、ｘ軸の負方向を−π／２ラジアンとしている。
【００３９】
図５は図４の第１のｘ分割コイル２２ａの実装例を示す展開図である。θはｚ軸周りの角度であり、傾斜磁場コイル装置本体８の周方向における第１のｘ分割コイル２２ａの中心を０ラジアン（ｒａｄ）、両端部をそれぞれ＋π／２ラジアン、−π／２ラジアンとしている。
【００４０】
第１のｘ分割コイル２２ａは、導体薄板３０により構成されている。導体薄板３０の材料としては、例えば銅又はアルミニウム等の導電性の高い材料が用いられている。また、導体薄板３０の厚さは、例えば２〜３ｍｍである。
【００４１】
導体薄板３０には、ターン間隙間３１（図５では線で示す）があり、隣接する周回ターン同士が電気的に絶縁されている。ターン間隙間３１の幅寸法は、例えば１〜２ｍｍである。さらに、導体薄板３０の巻数（ターン数）は、例えば１５〜３０程度であるが、図では簡単のため少なく示している。
【００４２】
また、導体薄板３０には、巻数に応じた複数の段落とし部３２と、一対の端子部３３ａ，３３ｂとが設けられている。段落とし部３２は、隣接する周回ターン間を連結する部分である。そして、隣接する周回ターン間は、段落とし部３２を通じて電気的に接続されている。また、端子部３３ａ，３３ｂを電流端子とすることで、導体薄板３０に所望の電流を流すことができる。
【００４３】
なお、第１のｘ分割コイル２２ａは、平板状の導体薄板にターン間隙間３１や、内周線及び外周線をパターン加工した後、ロール機で所望の曲率に曲げ加工することにより製造することができる。パターン加工は、レーザ加工、ウォータージェット加工、又はパレットパンチング加工により行うことができる。また、ターン間隙間３１は、外周側から内周側へ向けて、又は内周側から外周側へ向けて、一筆書き状にパターン加工することができる。
【００４４】
第２、第３、第４のｘ分割コイル２２ｂ〜２２ｄは、第１のｘ分割コイル２２ａと同じ若しくは類似の形状である。このような分割コイル２２ａ〜２２ｄの組み合わせにより、楕円筒状のｘメインコイル２０ａが構成され、撮像領域でｘ方向に線形に変化する傾斜磁場が発生される。
【００４５】
また、ｙメインコイル２０ｂ、ｘシールドコイル２１ａ及びｙシールドコイル２１ｂも、ｘメインコイル２０ａと同様に、それぞれ第１ないし第４の分割コイルにより構成されている。そして、各分割コイルが、第１のｘ分割コイル２２ａと同様に導体薄板３０により構成され、第１のｘ分割コイル２２ａと同じ若しくは類似の形状である。
【００４６】
一方、ｚメインコイル２０ｃ及びｚシールドコイル２１ｃは、それぞれ傾斜磁場コイル装置本体８の軸線を中心として配置されたソレノイド形状を有している。
【００４７】
図６は図５の第１のｘ分割コイル２２ａの実装例と、この第１のｘ分割コイル２２ａとｚ軸方向の同じ位置に配置される第１のｙ分割コイル２３ａの実装例とを並べて示す展開図である。但し、簡略化のため、段落とし部３２及び端子部３３ａ，３３ｂは省略している。
【００４８】
第１のｙ分割コイル２３ａは、第１のｘ分割コイル２２ａに対して、ｚ軸周りにπ／２ずらして配置されている。図６では、第１のｘ分割コイル２２ａの半分を０≦θ≦＋π／２の領域に、第１のｙ分割コイル２３ａの半分を−π／２≦θ≦０の領域にそれぞれ示している。
【００４９】
第１のｙ分割コイル２３ａも、ｘ分割コイル２２ａと同様に、導体薄板３０により構成されており、ターン間隙間３１、段落とし部３２及び端子部３３ａ，３３ｂを有している。
【００５０】
傾斜磁場コイル装置本体８の軸方向（ｚ軸方向）について、第１のｘ分割コイル２２ａ及び第１のｙ分割コイル２３ａの寸法（軸長）は同じである（Ｌｘ＝Ｌｙ）。但し、傾斜磁場コイル装置本体８の軸方向における第１のｙ分割コイル２３ａの一端部（傾斜磁場コイル装置本体８の軸方向端部側の端部）には、傾斜磁場コイル装置本体８の周方向に互いに間隔をおいて複数のスリット３４が設けられている。
【００５１】
この例では、スリット３４は、導体薄板３０に流れる電流の方向に対して直角又はほぼ直角に、等ピッチ又はほぼ等ピッチで設けられている。また、スリット３４は、第１のｙ分割コイル２３ａの一端部の全体に渡って設けられている。
【００５２】
図７は図６の第１のｙ分割コイル２３ａの要部を拡大して示す平面図である。第１のｙ分割コイル２３ａの端部から所定の長さＬ１のスリット３４を設けることにより、第１のｙ分割コイル２３ａの最外周のターンの実質的な幅（実質的に電流が流れる部分の幅）がＷ１に制限される。即ち、スリット３４の長さＬ１は、漏れ磁場等の点から電流経路を最適化できるような幅Ｗ１を残すように設定される。
【００５３】
また、隣接するスリット３４の間隔は、ターン間の幅の１／２程度が望ましい。即ち、隣接するスリット３４間の導体部分の幅Ｗ２は、最外周のターンの実質的な幅Ｗ１の１／２以下とするのが好適である。これは、幅Ｗ２が広すぎると、所望の電流制限領域（具体的には、最外周ターンの実質的な幅Ｗ１の領域）以外に電流が蛇行し（つまり、スリット３４間の導体部分にまで電流が入り込み）、傾斜磁場の線形性が乱れたり、渦電流が増大したりするためである。
【００５４】
なお、図２及び図３では、スリット３４の部分の断面を示しているため、ｙメインコイル２０ｂの軸長がｘメインコイル２０ａの軸長よりも短くなっている。また、図示は省略するが、第２ないし第４のｙ分割コイルにも、傾斜磁場コイル装置本体８の軸方向端部側の端部に、スリット３４が設けられている。即ち、スリット３４は、第１ないし第４のｙ分割コイルを組み合わせた楕円筒状のｙメインコイル２０ｂの軸方向両端部に設けられている。さらに、図３に示すように、シールドコイル２１ａ〜２１ｃを楕円筒状とする場合は、ｙメインコイル２０ｂと同様に、ｙシールドコイル２１ｂの軸方向両端にもスリット３４が設けられる。
【００５５】
また、この例では、ｚメインコイル２０ｃの軸長がｘメインコイル２０ａの軸長と等しくされているとともに、ｚシールドコイル２１ｃの軸長がｘシールドコイル２１ａの軸長と等しくされている。即ち、メインコイル２０ａ〜２０ｃの軸長が全て等しくされているとともに、シールドコイル２１ａ〜２１ｃの軸長が全て等しくされている。
【００５６】
このような傾斜磁場コイル装置では、ｘメインコイル２０ａの軸長とｙメインコイル２０ｂの軸長（図３の例では、ｘシールドコイル２１ａの軸長とｙシールドコイル２１ｂの軸長も）が互いに等しくなっている。このため、モールド部８ａ内でのコイル端部の位置を揃え、コイル端部におけるせん断応力を低減することができる。これにより、モールド部８ａとコイル端部との接着界面での剥がれを防止し、性能の安定化及び長寿命化を図ることができる。
【００５７】
また、ｙメインコイル２０ｂ（図３の例では、ｙシールドコイル２１ｂも）の軸方向両端部に、電流が流れる部分の幅を制限するようにスリット３４が設けられているので、コイル導体を流れる電流経路は最適化したままとすることができる。これにより、漏れ磁場の発生を抑え、周囲の機器に渦電流が発生するのを防止し、発熱を抑制することができる。
【００５８】
さらに、隣接するスリット３４間の導体部分の幅Ｗ２を、最外周のターンの実質的な幅Ｗ１の１／２以下としたので、実質的に電流が流れる部分の幅をより確実に制限することができる。
【００５９】
なお、上記の例では、スリット３４を電流方向に直角に設けたが、電流が流れる部分の幅を制限できれば、ある程度傾斜して設けてもよい。
また、上記の例では、スリット３４を等間隔に設けたが、位置によって変化させてもよい。
さらに、上記の例では、矩形状のスリット３４を示したが、スリットの形状は適宜変更可能であり、例えば、半円状、半長円状、又は台形状等であってもよい。
さらにまた、傾斜磁場コイルの配置順によっては、ｙメインコイルやｙシールドコイルを第１の非円形コイルとし、ｘメインコイルやｘシールドコイルを第２の非円形コイルとしてもよい。
【符号の説明】
【００６０】
３  傾斜磁場発生系（傾斜磁場コイル装置）、８  傾斜磁場コイル装置本体、２０ａ  ｘメインコイル（傾斜磁場コイル，第１の非円形コイル）、２０ｂ  ｙメインコイル（傾斜磁場コイル，第２の非円形コイル）、２０ｃ  ｚメインコイル（傾斜磁場コイル）、２１ａ  ｘシールドコイル（傾斜磁場コイル，第１の非円形コイル）、２１ｂ  ｙシールドコイル（傾斜磁場コイル，第２の非円形コイル）、２１ｃ  ｚシールドコイル（傾斜磁場コイル，第２の非円形コイル）、３４  スリット。
【図１】
0005997936.tif 000002
【図２】
0005997936.tif 000003
【図３】
0005997936.tif 000004
【図４】
0005997936.tif 000005
【図５】
0005997936.tif 000006
【図６】
0005997936.tif 000007
【図７】
0005997936.tif 000008